(57)【特許請求の範囲】
【請求項１】
書込み面まわりの樹脂製外装枠を、四隅のコ−ナー枠とそれで連結する４辺のストレート枠とで構成し、そのストレート枠の表面に、長さ方向の嵌合溝を形成してなり、
その嵌合溝にホルダをはめ付け、そのホルダでシートロールを回転自在に支持するとともに、
そのシートロールのシート繰り出し側先端に掛止部材を取り付け、その掛止部材を、対向するストレート枠の嵌合溝に掛け止め可能としてなる、書込みボード。
【請求項２】
前記ホルダに、前記嵌合溝にはめ付ける嵌合部と、ノブ部材を挿入する環状部とを設けるとともに、前記ノブ部材には、前記環状部に挿入する中径筒部と、前記シートロールを回してシート部材を巻き上げる前記中径筒部の頭側のつまみ部と、前記シートロールを回転自在に支持する前記中径筒部の先方側の軸部とを設けてなる、請求項１に記載の書込みボード。
【請求項３】
前記掛止部材は、フック状で、前記シートロールのシート繰り出し側先端に両面テープで貼り付けて取り付けてなる、請求項１または２に記載の書き込みボード。
【発明の詳細な説明】
【０００１】
【発明の属する技術分野】
この発明は、電子黒板等の黒板、白板、伝言板、掲示板などで、壁に掛けたりスタンドで支持したりする書込みボードに関する。そのうち特に、マーカーペン等で書込みを行う書込み面のまわりを囲って樹脂製外装枠を有する書込みボードに関する。
【０００２】
【従来の技術】
従来、例えば電子黒板では、図１４に示すように、左右に平行に備える２つの垂直ローラ（不図示）間にシート部材１を掛け回し、正面側を張り渡して書込み面ａを形成し、その書込み面ａのまわりに樹脂製の外装枠２を設け、その外装枠２を四隅のコーナー枠３とそれで連結する４辺のストレート枠４・５とで構成する。
【０００３】
ストレート枠４・５は、上下の横ストレート枠４ａ・４ｂと左右の縦ストレート枠５ａ・５ｂとからなる。そして、電子黒板全体をスタンド６に取り付け、それで支持していた。
【０００４】
【発明が解決しようとする課題】
ところが、このような従来の電子黒板では、例えば特開昭６２−１４４９９９号公報に記載のように、上側のストレート枠に磁性板を設ける場合がある。また、図１４に示すように、下側の横ストレート枠４ｂに受け部７を一体に設けることがあり、特開平１１−５９０７１号公報に記載のように、下側の横ストレート枠にマーカーカスの受け部と、マーカーペンおよびイレーサの受け部とを上下２段に分けて一体に設けることもある。
【０００５】
他方、縦ストレート枠５ａ・５ｂにも、例えばマーカーペンおよびイレーサの受け部を一体に設けることがあった。
【０００６】
このようなストレート枠４・５は、押出し加工でつくることが一般的であった。このため、横ストレート枠４ａ・４ｂでは上下を、縦ストレート枠５ａ・５ｂでは左右を同じ型でつくることは困難であり、少なくとも２以上の金型を必要としていた。
【０００７】
そこで、この発明の第１の課題は、書込みボードにおいて、押出し加工でつくる外装枠の金型を共通化してコストダウンを図ることにある。
【０００８】
この発明の第２の課題は、マグネットを用いて外装枠に簡単に取り付け、チャート紙等を貼り付け可能とすることにある。
【０００９】
この発明の第３の課題は、書込み面への書込み時に落下するマーカーカスを受け、またマーカーペンやイレーサを置くことができるようにすることにある。
【００１０】
この発明の第４の課題は、受け部材上に置いたマーカーペンやイレーサがマーカーカスで汚れないようにしたり、マーカーペンやイレーサを分けて整理して置いたりすることを可能とすることにある。
【００１１】
この発明の第５の課題は、シートロールからシートを繰り出して書込み面を簡単に被い、またその被いを簡単に解除可能とすることにある。
【００１２】
この発明の第６の課題は、シートロールから繰り出したシートを簡単に掛け止め、またはその掛け止めを簡単に解除可能とすることにある。
【００１３】
【課題を解決するための手段】
そのため、請求項１に記載の発明は、上述した第１、５、６の課題を達成すべく、書込みボードにおいて、書込み面まわりの樹脂製外装枠を、四隅のコ−ナー枠とそれで連結する４辺のストレート枠とで構成し、そのストレート枠の表面に、長さ方向の嵌合溝を形成してなり、
その嵌合溝にホルダをはめ付け、そのホルダでシートロールを回転自在に支持するとともに、
そのシートロールのシート繰り出し側先端に掛止部材を取り付け、その掛止部材を、対向するストレート枠の嵌合溝に掛け止め可能としてなる、ことを特徴とする。
【００１４】
請求項２に記載の発明は、請求項１に記載の書込みボードにおいて、ホルダに、嵌合溝にはめ付ける嵌合部と、ノブ部材を挿入する環状部とを設けるとともに、ノブ部材には、環状部に挿入する中径筒部と、シートロールを回してシート部材を巻き上げる中径筒部の頭側のつまみ部と、シートロールを回転自在に支持する中径筒部の先方側の軸部とを設けてなる、ことを特徴とする。
【００１５】
請求項３に記載の発明は、請求項１または２に記載の書込みボードにおいて、掛止部材は、フック状で、シートロールのシート繰り出し側先端に両面テープで貼り付けて取り付けてなる、ことを特徴とする。
【００１９】
【発明の実施の形態】
以下、図面を参照しつつ、この発明の実施の形態につき詳細に説明する。
図１には、この発明に係る書込みボードの一例である電子黒板１０を示す。
【００２０】
電子黒板１０には、取付ねじ１１・１２で各々スタンド１３のベースフレーム１４に取り付ける、それぞれ細長な上フレーム１５と下フレーム１６を設ける。それら上下フレーム１５・１６の両端間では、垂直ローラ１７・１７を各々回転自在に支持し、それらの垂直ローラ１７・１７間にシート１８を図中左右方向に搬送可能に掛け回す。
【００２１】
そして、そのように掛け回したシート１８の正面側を張り渡して書込み面Ａを形成し、その書込み面Ａのまわりに樹脂製外装枠２０を設けてスタンド１３のベースフレーム１４に取り付ける。
【００２２】
外装枠２０は、四隅のコーナー枠２１とそれで連結する４辺のストレート枠２２・２３とで構成する。ストレート枠２２・２３は、上下の横ストレート枠２２ａ・２２ｂと左右の縦ストレート枠２３ａ・２３ｂとからなる。
【００２３】
そして、コーナー枠２１には、それぞれ直角な向きに２つの嵌合凸部２１ａを突出形成する。他方、ストレート枠２２・２３には、図２に示すように、両端に嵌合凹部２２ｃ・２３ｃを形成するとともに、長さ方向に嵌合溝２２ｄ・２３ｄを形成する。嵌合溝２２ｄ・２３ｄの両側は、内側に折り曲げて曲げ部２２ｅ・２３ｅを形成し、丸みを付けてなる。また、嵌合凹部２２ｃ・２３ｃの内部には、嵌合溝２２ｄ・２３ｄを跨いで連結部２２ｆ・２３ｆを設ける。
【００２４】
そうして、図１に示すように、嵌合凸部２１ａを嵌合凹部２２ｃ・２３ｃに挿入して組付けねじ２４をねじ付け、コーナー枠２１でそれぞれ横ストレート枠２２ａ・２２ｂと左右の縦ストレート枠２３ａ・２３ｂとを連結して枠状に組み立て、不図示のねじでベースフレーム１４に取り付ける。
【００２５】
スタンド１３のベースフレーム１４下には、また、取付ねじ２５を用いて操作部２６を取り付け、さらに別の取付ねじ２７を用いてプリンタ２８を取り付けてなる。
【００２６】
いま、この電子黒板１０を使用するときは、マーカーペン等の筆記具を用いて書込み面Ａに、絵や文字などを書き込む。書込み面Ａが絵や文字などでいっぱいとなったときには、イレーサ（黒板消し）で拭いて書込み面Ａ上の書込み内容を消去し、書込み面Ａにまた新たな書込みを行う。
【００２７】
書込み内容をそのまま残して新たな書込みを行いたいときには、操作部２６のシート搬送スイッチを押して垂直ローラ１７を回転し、シート１８を搬送して外装枠２０内に新たな書込み面Ａを位置させ、その新たな書込み面Ａに新たな書込みを行う。
【００２８】
書込み内容の写しを取りたいときには、操作部２６のコピースイッチを押してシート１８を搬送しながら、不図示の読取装置で書込み面Ａ上の書込み内容を読み取り、その読取り信号をプリンタ２８に出力してプリンタ２８で読取り内容をシートに記録して排出する。
【００２９】
次に、図示電子黒板１０の使用例について説明する。
【００３０】
図３には、上側の横ストレート枠２２ａの嵌合溝２２ｄに磁性部材３０をはめ付け、他の下側の横ストレート枠２２ｂおよび左右の両縦ストレート枠２３ａ・２３ｂに非磁性部材３１をはめ付ける使用例を示す。
【００３１】
磁性部材３０は、帯状の金属板金を断面Ω型に折り曲げてつくり、図３に示すように長さ方向にまっすぐに突出する突部３０ａを横ストレート枠２２ａの嵌合溝２２ｄにはめ付けて曲げ部２２ｅで挟み、連結部２２ｆ内に緩みなく差し込むように挿入してなる。挿入したとき、突部３０ａの頂面は、横ストレート枠２２ａの正面と面一となるようにする。
【００３２】
他方、非磁性部材３１は、樹脂材料を用いて成形で、長さ方向に突部３１ａを有する帯状につくり、その突部３１ａを他の下側の横ストレート枠２２ｂおよび左右の両縦ストレート枠２３ａ・２３ｂの嵌合溝２２ｄにそれぞれはめ付けて曲げ部２２ｅ・２３ｅで挟み、連結部２２ｆ・２３ｆ内に緩みなく差し込むように挿入してなる。このときも、挿入した非磁性部材３１の突部３１ａ頂面は、各ストレート枠２２ｂ・２３ａ・２３ｂの正面と面一となるようにする。
【００３３】
すると、図４に示す状態となる。このようにすると、例えば電子黒板１０を用いて説明をしている途中で、予め作成してきたチャート紙３４を用いて説明したいときには、チャート紙３４を挟んでマグネット３５を磁性部材３０に吸着させることで、チャート紙３４を聴講者が見得るように張り渡すことができる。
【００３４】
なお、ここで、磁性部材３０および非磁性部材３１の色は、それぞれストレート枠２２・２３の色と同一でもよいし、異ならしめてもよく、電子黒板１０の全体的なデザイン等を考慮して決定することとなる。
【００３５】
図５には、非磁性部材３１は使用しないで、すべてのストレート枠２２・２３の嵌合溝２２ｄ・２３ｄに磁性部材３０を挿入した例を示す。このようにすると、マグネット付きのトレイ３６を、そのマグネットを右側の縦ストレート枠２３ｂの磁性部材３０に吸着させることで取り付け、そのトレイ３６上にマーカーペン３７やイレーサ３８などを載せ得るようにすることができる。
【００３６】
また、裏面にマグネット３９を取り付けたスクリーン板４０を、マグネット３９をそれぞれのストレート枠２２・２３の磁性部材３０に吸着させることで取り付け、そのスクリーン板４０上に、ＯＨＰやプロジェクタ４１を用いて投影することが可能となる。
【００３７】
以上の他、各ストレート枠２２・２３には、磁性部材３０または非磁性部材３１をそれぞれ任意に選択して取り付けることができる。
【００３８】
図６には、下側の横ストレート枠２２ｂの嵌合溝２２ｄに受け部材４３をはめ付ける使用例を示す。
【００３９】
図示するとおり、受け部材４３には、嵌合溝２２ｄにはめ付けて連結部２２ｆ内に緩みなく挿入する嵌合部４３ａと、書込み面Ａの下縁に沿って前方に突出する受け部４３ｂと、それらの間から上向きに立ち上がり先端が横ストレート枠２２ｂの正面上側を被うカバー部４３ｃとを設ける。
【００４０】
そして、図示例では、受け部４３ｂの両端にトレイ４４を取り付ける。トレイ４４は、比較的安価なＡＢＳ樹脂（アクリロニトリル／ブタジェン／スチレン樹脂）やＰＳ樹脂などを用いて全体を直方体形状につくり、頂面には載置凹部４４ａを形成し、図７に示すように中間には片側に開放するスリット４４ｂを設け、底面にはコ字状のすり割り４４ｃを設けて弾性片４４ｄを形成する。
【００４１】
そうして、スリット４４ｂ内に受け部４３ｂの端部を入れ、弾性片４４ｄの先端を押し当てて抜け止めし、図８に示すように受け部４３ｂの両端にトレイ４４を取り付ける。これにより、トレイ４４上の載置凹部４４ａ上には、マーカーペンやイレーサなどを載置可能とする。
【００４２】
なお、ここで、トレイ４４は、汚れが目立たないように例えば黒系統色でつくるとよい。また、両端のトレイ４４の間隔Ｌは、書込み面Ａの左右長さＭと等しいかそれ以上とし、書込み面Ａから落下するマーカーカス等を受け部材４３の受け部４３ｂで確実に受けることができるようにすることが好ましい。
【００４３】
図９には、受け部材４３に受け部４３ｂを多段に設けた場合を示す。この図９に示す受け部材４３では、上段の受け部４３ｂ−１でマーカーカス等を受けるようにし、中段の受け部４３ｂ−２にマーカーペン等の筆記具を置き、下段の受け部４３ｂ−３上にイレーサ等を置くようにする。
【００４４】
図９に示す例では、受け部４３ｂの突出長さは、下段になるほど大きくするが、例えばイレーサの取り出し易さなどを考慮し、図１０に示すように中段の受け部４３ｂ−２の突出長さを小さくするなどしてもよい。受け部４３ｂ間の間隔も、適宜設定することができる。図１１には、図１０に示す受け部材４３を下側のストレート枠２２ｂに取り付けた状態を示す。
【００４５】
図１２には、上側の横ストレート枠２２ａの嵌合溝２２ｄに２つのホルダ５０をはめ付け、そのホルダ５０でシートロール５１の両端を回転自在に支持する使用例を示す。
【００４６】
この使用例では、ホルダ５０に嵌合部５０ａと環状部５０ｂを設ける。嵌合部５０ａは、各々嵌合溝２２ｄにはめ付けて連結部２２ｆ内に緩みなく挿入する。環状部５０ｂ内には、各々ノブ部材５２の中間の中径筒部５２ａを挿入する。各ノブ部材５２は、中径筒部５２ａの頭側に、外周にローレットを切った大径のつまみ部５２ｂを設け、先方側に小径の軸部５２ｃを設ける。軸部５２ｃの先端外周には、面取り５２ｄを設けてなる。
【００４７】
ホルダ５０およびノブ部材５２は、摺動性をよくするため、例えばＰＯＭ（ポリアセタール）などを用いてつくるとよい。
【００４８】
そして、軸部５２ｃを面取り５２ｄにより容易に各々紙管５３内に挿入し、両端でシートロール５１を回転自在に支持する。シートロール５１の外周には、基端部を両面テープ５４で貼り付けてシート部材５５を巻き付ける。シート部材５５は、例えばＰＥＴ（ポリエチレンテレフタレート）でつくり、その繰り出し側先端には同様に両面テープ５６で貼り付けてフック状の掛止部材５７を取り付ける。
【００４９】
掛止部材５７は、ＡＢＳ樹脂やＰＳ樹脂などでつくり、上側の横ストレート枠２２ａと対向する下側の横ストレート枠２２ｂの嵌合溝２２ｄに掛け止め可能とする。
【００５０】
そして、書込み面Ａ上の書込み内容を消されたくないときや、書込み内容を見られたくないとき、また直射日光などからシート１８を保護したいときなどに、掛止部材５７を持ってシート部材５５を引き下げ、シートロール５１からシート部材５５を繰り出して、図１３に示すように掛止部材５７を下側の横ストレート枠２２ｂの嵌合溝２２ｄに掛け止め、シート部材５５で書込み面Ａを被うようにする。
【００５１】
被いを解除するときは、嵌合溝２２ｄから掛止部材５７を外してつまみ部５２ｂを持ってシートロール５１を回し、シート部材５５を巻き上げる。
【００５２】
シート部材５５の表面は、無地でもよいし、例えば印刷等で図示するように使用中である旨の表示を施すなどしてもよい。
【００５３】
【発明の効果】
請求項１に係る発明によれば、書込みボードにおいて、書込み面まわりの樹脂製外装枠を、四隅のコ−ナー枠とそれで連結する４辺のストレート枠とで構成し、そのストレート枠の表面に長さ方向の嵌合溝を形成するから、その嵌合溝にはめ付けて種々の部材を取り付け可能とすることができる。また同時に、ストレート枠自体は嵌合溝を有する単純な形状として金型を共通化し、押出し加工でつくることを可能としてコストダウンを図ることができる。
【００５７】
また、嵌合溝にホルダをはめ付け、そのホルダでシートロールを回転自在に支持するから、シートロールからシートを繰り出して書込み面を簡単に被い、またその被いを簡単に解除することができる。
【００５８】
加えて、シートロールのシート繰り出し側先端に掛止部材を取り付け、その掛止部材を、対向するストレート枠の嵌合溝に掛け止め可能とするから、シートロールから繰り出したシートを簡単に掛け止め、またはその掛け止めを簡単に解除することができる。
【図面の簡単な説明】
【図１】この発明に係る書込みボードの一例である電子黒板の分解斜視図である。
【図２】その電子黒板で用いるストレート枠の斜視図である。
【図３】そのストレート枠への磁性部材および非磁性部材の取り付けを示す斜視図である。
【図４】それらを取り付けた電子黒板の使用例を示す斜視図である。
【図５】すべてのストレート枠に磁性部材を取り付けた電子黒板の使用例を示す斜視図である。
【図６】ストレート枠への受け部材およびトレイの取り付けを示す斜視図である。
【図７】そのトレイを矢印Ｂ方向から見た部分斜視図である。
【図８】受け部材およびトレイを取り付けた状態の電子黒板の斜視図である。
【図９】ストレート枠への、多段の受け部を有する受け部材の取り付けを示す斜視図である。
【図１０】多段の受け部を有する受け部材の他例の部分斜視図である。
【図１１】その多段の受け部を有する受け部材を取り付けた電子黒板の斜視図である。
【図１２】ストレート枠と、それに取り付けるホルダ、ノブ部材、シートロールの分解斜視図である。
【図１３】それらを取り付けた電子黒板の使用例を示す斜視図である。
【図１４】従来の電子黒板の斜視図である。
【符号の説明】
Ａ    書込み面
１０    電子黒板（書込みボード）
１３    スタンド
１８    シート
２０    外装枠
２１    コーナー枠
２２・２２ａ・２２ｂ    横ストレート枠
２２ｄ  嵌合溝
２２ｅ  曲げ部
２２ｆ  連結部
２３・２３ａ・２３ｂ    縦ストレート枠
２３ｄ  嵌合溝
２３ｅ  曲げ部
２３ｆ  連結部
３０    磁性部材
４３    受け部材
４３ｂ  受け部
５０    ホルダ
５１    シートロール
５７    掛止部材
【図１】
0004514323.tif 000002
【図２】
0004514323.tif 000003
【図３】
0004514323.tif 000004
【図４】
0004514323.tif 000005
【図５】
0004514323.tif 000006
【図６】
0004514323.tif 000007
【図７】
0004514323.tif 000008
【図８】
0004514323.tif 000009
【図９】
0004514323.tif 000010
【図１０】
0004514323.tif 000011
【図１１】
0004514323.tif 000012
【図１２】
0004514323.tif 000013
【図１３】
0004514323.tif 000014
【図１４】
0004514323.tif 000015